【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置に関する情報の通知先を記憶する記憶手段と、
前記情報処理装置に関する情報を、前記記憶手段に記憶されている通知先に通知する通知手段と、
前記記憶手段への通知先の登録を要求する登録要求を外部装置から受信する受信手段と、
前記受信手段により受信される登録要求の送信元が特定の範囲のネットワークに属する場合には、通知先の登録が有効な第１の時間を示す第１の時間情報を前記送信元に通知し、前記受信手段により受信される登録要求の送信元が前記特定の範囲のネットワークに属しない場合には、通知先の登録が有効な第２の時間を示す第２の時間情報を前記送信元に通知する時間情報通知手段とを有し、
前記第２の時間は前記第１の時間よりも短いことを特徴とする情報処理装置。
【請求項２】
前記第１の時間情報は、前記第１の時間が無期限であることを示し、前記第２の時間情報は、前記第２の時間が特定の時間であること示すことを特徴とする請求項１に記載の情報処理装置。
【請求項３】
前記受信手段により受信される登録要求の送信元が前記特定の範囲のネットワークに属するか否かを判断する判断手段を有することを特徴とする請求項１或いは２に記載の情報処理装置。
【請求項４】
前記判断手段は、前記受信手段により受信される登録要求の送信元のＩＰアドレス、前記情報処理装置のＩＰアドレス、及び前記情報処理装置のサブネットマスクとに基づいて、前記送信元が属するサブネットワークが、前記情報処理装置が属するサブネットワークと同じであるかを判断することを特徴とする請求項３に記載の情報処理装置。
【請求項５】
前記特定の範囲のネットワークとは、前記情報処理装置の起動を示す情報が送信されて届く範囲のネットワークであることを特徴とする請求項１乃至３のいずれか１項に記載の情報処理装置。
【請求項６】
情報処理装置であって、
前記情報処理装置に関する情報の通知先を記憶する記憶手段と、
前記情報処理装置に関する情報を、前記記憶手段に記憶されている通知先に通知する通知手段と、
前記記憶手段への通知先の登録を要求する登録要求を外部装置から受信する受信手段と、
前記受信手段によって受信される登録要求によって登録されるべき通知先が特定の範囲のネットワークに属する場合には、前記通知先の登録が有効な第１の時間を示す第１の時間情報を前記登録要求の送信元に通知し、前記受信手段によって受信される登録要求によって登録されるべき通知先が前記特定の範囲のネットワークに属しない場合には、前記通知先の登録が有効な第２の時間を示す第２の時間情報を前記登録要求の送信元に通知する時間情報通知手段とを有し、
前記第２の時間は前記第１の時間よりも短いことを特徴とする情報処理装置。
【請求項７】
前記第１の時間情報は、前記第１の時間が無期限であることを示し、前記第２の時間情報は、前記第２の時間が特定の時間であること示すことを特徴とする請求項６に記載の情報処理装置。
【請求項８】
前記受信手段により受信される登録要求によって登録されるべき通知先が前記特定の範囲のネットワークに属するか否かを判断する判断手段を有することを特徴とする請求項６或いは７に記載の情報処理装置。
【請求項９】
前記判断手段は、前記受信手段により受信される登録要求によって登録されるべき通知先のＩＰアドレス、前記情報処理装置のＩＰアドレス、及び前記情報処理装置のサブネットマスクとに基づいて、前記受信手段により受信される登録要求によって登録されるべき通知先が属するサブネットワークが、前記情報処理装置が属するサブネットワークと同じであるかを判断することを特徴とする請求項８に記載の情報処理装置。
【請求項１０】
前記特定の範囲のネットワークとは、前記情報処理装置の起動を示す情報が送信されて届く範囲のネットワークであることを特徴とする請求項６乃至８のいずれか１項に記載の情報処理装置。
【請求項１１】
情報処理装置であって、
前記情報処理装置に関する情報の通知先を記憶する記憶手段と、
前記情報処理装置に関する情報を、前記記憶手段に記憶されている通知先に通知する通知手段と、
前記記憶手段への通知先の登録を要求する登録要求を外部装置から受信する受信手段と、
前記受信手段により受信される登録要求の送信元が特定の範囲のネットワークに属しない場合には、通知先の登録が有効である特定の時間を示す時間情報を前記送信元に通知する時間情報通知手段とを有し、
前記時間情報通知手段は、前記受信手段により受信される登録要求の送信元が前記特定の範囲のネットワークに属する場合には、前記特定な時間を示す時間情報を前記送信元に通知しないことを特徴とする情報処理装置。
【請求項１２】
情報処理装置であって、
前記情報処理装置に関する情報の通知先を記憶する記憶手段と、
前記情報処理装置に関する情報を、前記記憶手段に記憶されている通知先に通知する通知手段と、
前記記憶手段への通知先の登録を要求する登録要求を外部装置から受信する受信手段と、
前記受信手段によって受信される登録要求によって登録されるべき通知先が特定の範囲のネットワークに属しない場合には、前記通知先の登録が有効である特定の時間を示す時間情報を前記登録要求の送信元に通知する時間情報通知手段とを有し、
前記時間情報通知手段は、前記受信手段によって受信される登録要求によって登録されるべき通知先が前記特定の範囲のネットワークに属する場合には、前記特定の時間を示す時間情報を前記登録要求の送信元に通知しないことを特徴とする情報処理装置。
【請求項１３】
情報処理装置が実行する情報処理方法であって、
前記情報処理装置に関する情報の通知先を登録する登録ステップと、
前記情報処理装置に関する情報を、前記登録ステップで登録されている通知先に通知する通知ステップと、
通知先の登録を要求する登録要求を外部装置から受信する受信ステップと、
前記受信ステップで受信される登録要求の送信元が特定の範囲のネットワークに属する場合には、通知先の登録が有効な第１の時間を示す第１の時間情報を前記送信元に通知する第１の時間情報通知ステップと、
前記受信ステップで受信される登録要求の送信元が前記特定の範囲のネットワークに属しない場合には、通知先の登録が有効な第２の時間を示す第２の時間情報を前記送信元に通知する第２の時間情報通知ステップとを有し、
前記第２の時間は前記第１の時間よりも短いことを特徴とする情報処理方法。
【請求項１４】
情報処理装置が実行する情報処理方法であって、
前記情報処理装置に関する情報の通知先を登録する登録ステップと、
前記情報処理装置に関する情報を、前記登録ステップで登録されている通知先に通知する通知ステップと、
通知先の登録を要求する登録要求を外部装置から受信する受信ステップと、
前記受信ステップ受信される登録要求によって登録されるべき通知先が特定の範囲のネットワークに属する場合には、前記通知先の登録が有効な第１の時間を示す第１の時間情報を前記登録要求の送信元に通知する第１の時間情報通知ステップと、
前記受信ステップで受信される登録要求によって登録されるべき通知先が前記特定の範囲のネットワークに属しない場合には、前記通知先の登録が有効な第２の時間を示す第２の時間情報を前記登録要求の送信元に通知する第２の時間情報通知ステップとを有し、
前記第２の時間は前記第２の時間よりも短いことを特徴とする情報処理方法。
【請求項１５】
請求項１３或いは１４に記載の情報処理方法をコンピュータに実行させるための、コンピュータにより読み取り可能なプログラム。
【手続補正２】
【補正対象書類名】明細書
【補正対象項目名】０００７
【補正方法】変更
【補正の内容】
【０００７】
本発明に係る情報処理装置は、前記情報処理装置に関する情報の通知先を記憶する記憶手段と、前記情報処理装置に関する情報を、前記記憶手段に記憶されている通知先に通知する通知手段と、前記記憶手段への通知先の登録を要求する登録要求を外部装置から受信する受信手段と、前記受信手段により受信される登録要求の送信元が特定の範囲のネットワークに属する場合には、通知先の登録が有効な第１の時間を示す第１の時間情報を前記送信元に通知し、前記受信手段により受信される登録要求の送信元が前記特定の範囲のネットワークに属しない場合には、通知先の登録が有効な第２の時間を示す第２の時間情報を前記送信元に通知する時間情報通知手段とを有し、前記第２の時間は前記第１の時間よりも短いことを特徴とする。
【手続補正３】
【補正対象書類名】明細書
【補正対象項目名】０００８
【補正方法】変更
【補正の内容】
【０００８】
本発明に係る情報処理装置は、前記情報処理装置に関する情報の通知先を記憶する記憶手段と、前記情報処理装置に関する情報を、前記記憶手段に記憶されている通知先に通知する通知手段と、前記記憶手段への通知先の登録を要求する登録要求を外部装置から受信する受信手段と、前記受信手段によって受信される登録要求によって登録されるべき通知先が特定の範囲のネットワークに属する場合には、前記通知先の登録が有効な第１の時間を示す第１の時間情報を前記登録要求の送信元に通知し、前記受信手段によって受信される登録要求によって登録されるべき通知先が前記特定の範囲のネットワークに属しない場合には、前記通知先の登録が有効な第２の時間を示す第２の時間情報を前記登録要求の送信元に通知する時間情報通知手段とを有し、前記第２の時間は前記第１の時間よりも短いことを特徴とする。
【手続補正４】
【補正対象書類名】明細書
【補正対象項目名】００１１
【補正方法】変更
【補正の内容】
【００１１】
本発明に係る情報処理方法は、情報処理装置が実行する情報処理方法であって、前記情報処理装置に関する情報の通知先を登録する登録ステップと、前記情報処理装置に関する情報を、前記登録ステップで登録されている通知先に通知する通知ステップと、通知先の登録を要求する登録要求を外部装置から受信する受信ステップと、前記受信ステップで受信される登録要求の送信元が特定の範囲のネットワークに属する場合には、通知先の登録が有効な第１の時間を示す第１の時間情報を前記送信元に通知する第１の時間情報通知ステップと、前記受信ステップで受信される登録要求の送信元が前記特定の範囲のネットワークに属しない場合には、通知先の登録が有効な第２の時間を示す第２の時間情報を前記送信元に通知する第２の時間情報通知ステップとを有し、前記第２の時間は前記第１の時間よりも短いことを特徴とする。
【手続補正５】
【補正対象書類名】明細書
【補正対象項目名】００１２
【補正方法】変更
【補正の内容】
【００１２】
本発明に係る情報処理方法は、情報処理装置が実行する情報処理方法であって、前記情報処理装置に関する情報の通知先を登録する登録ステップと、前記情報処理装置に関する情報を、前記登録ステップで登録されている通知先に通知する通知ステップと、通知先の登録を要求する登録要求を外部装置から受信する受信ステップと、前記受信ステップ受信される登録要求によって登録されるべき通知先が特定の範囲のネットワークに属する場合には、前記通知先の登録が有効な第１の時間を示す第１の時間情報を前記登録要求の送信元に通知する第１の時間情報通知ステップと、前記受信ステップで受信される登録要求によって登録されるべき通知先が前記特定の範囲のネットワークに属しない場合には、前記通知先の登録が有効な第２の時間を示す第２の時間情報を前記登録要求の送信元に通知する第２の時間情報通知ステップとを有し、前記第２の時間は前記第１の時間よりも短いことを特徴とする。